【手続補正書】
【提出日】平成20年1月9日(2008.1.9)
【手続補正１】
【補正対象書類名】明細書
【補正対象項目名】特許請求の範囲
【補正方法】変更
【補正の内容】
【特許請求の範囲】
【請求項１】  Ｘ−Ｙ平面上に有ると共に該Ｘ−Ｙ平面に直交するＺ方向に密閉可能である、伸長し再閉可能なファスナ（４０）を開閉するためのスライダ（１００）であって、
該スライダ（１００）が、Ｘ方向及びＹ方向にベクトル成分を有する進路（４８）に沿って動く時、前記スライダ（１００）が、前記ファスナ（４０）を開閉するためにファスナ（４０）に前記Ｚ方向の力を付与し、
前記ファスナ（４０）が、剛性がある、スライダ（１００）。
【請求項２】  スライダ（１００）であって、
前記ファスナ（４０）が、かみ合う突き出し要素（４２）及びくぼみ要素（４４）と、Ｘ方向及びＹ方向のそれぞれの方向に伸びるベクトル成分を有する進路（４８）を画定する長さに沿って伸びる軌道（４６）とを有し；
前記スライダ（１００）が、該軌道（４６）に摺動可能に取りつけられ、かつ対向する第一の方向（３６）及び第二の方向（３８）の進路（４８）に沿って移動可能であり；前記スライダ（１００）が：
内側表面（２０２）及び外側表面（２０４）、閉鎖端（２０８）及び開放端（２０６）を有する楔（２００）を有し、前記内側表面（２０２）及び外側表面（２０４）が、共に該閉鎖端（２０８）から該開放端（２０６）まで前記第一の方向（３６）に傾斜し
、  ここで、前記スライダ（１００）が、閉鎖中に前記第一の方向（３６）に動く時、前記内側表面（２０２）が、前記くぼみ要素（４４）を押して前記突き出し要素（４２）と係合し、かつ前記スライダ（１００）が、開放中に前記第二の方向（３８）に動く時、前記外側表面（２０４）が、前記くぼみ要素（４４）を前記突き出し要素（４２）から分離する、伸長し再閉可能なファスナ（４０）を開閉するための請求項１に記載のスライダ（１００）。
【請求項３】  前記楔（２００）の前記内側表面（２０２）が、閉鎖中に前記くぼみ要素（４４）を部分的に囲む、請求項２に記載のスライダ（１００）。
【請求項４】  前記楔（２００）の前記内側表面（２０２）が、開放中に前記突き出し要素（４２）を部分的に囲む、請求項２又は３のいずれか１項に記載のスライダ（１００）。
【請求項５】  スライダ（１００）が、
第一の表面（１１２）を有する基部（１１０）と；
該第一の表面（１１２）からたれ下る近位端（１２２）、及び遠位端（１２４）を有する第一の伸長部（１２０）と；
該第一の伸長部（１２０）から間隔を置いて配置され、該基部（１１０）からたれ下る近位端（１３２）及び遠位端（１３４）を有する第二の伸長部（１３０）と；
を備え、ここで前記楔（２００）が、該第二の伸長部（１３０）の前記遠位端（１３４）に配置される、請求項１から４のいずれか１項に記載のスライダ（１００）。
【請求項６】  スライダ（３００）であって、
前記ファスナ（４０）が、かみ合う突き出し要素（４２）及びくぼみ要素（４４）と、Ｘ方向及びＹ方向のそれぞれの方向に伸びるベクトル成分を有する進路（４８）を画定する前記長さに沿って伸びる軌道（４６）とを有し；
前記スライダ（３００）が、該軌道（４６）に摺動可能に取りつけ可能であり、かつ対向する第一の方向（３６）及び第二の方向（３８）の進路（４８）に沿って移動可能であり；前記スライダ（３００）が：
開放端（３０６）から閉鎖端（３０８）まで伸びる長さ（３０２）、及び幅（３０４）と；
第一の表面（３１２）を有する基部（３１０）と；
内側表面（３２６）、該基部（３１０）の前記第一の表面（３１２）からたれ下る近位端（３２２）、及び遠位端（３２４）を有する第一の伸長部（３２０）と；
該第一の伸長部（３２０）から間隔を置いて配置され、前記基部（３１０）の前記第一の表面（３１２）からたれ下る近位端（３３２）、及び遠位端（３３４）を有する第二の伸長部（３３０）と；
間に前記第二の伸長部（３３０）を組み込む前記第一の伸長部（３２０）から間隔を置いて配置され、内側表面（３４６）、前記基部（３１０）の前記第一の表面（３１２）からたれ下る近位端（３４２）、及び遠位端（３４４）を有する第三の伸長部（３４０）と；
前記第二の伸長部（３３０）からたれ下り、内側表面（３６４）、及び前記閉鎖端（３０８）から前記開放端（３０６）まで閉鎖する方向に傾斜する傾いた外側表面（３６２）を有する楔（３６０）と；
を備え、
ここで、該楔（３６０）が、前記再閉可能なファスナ（４０）の突き出し要素（４２）及びくぼみ要素（４４）のかみ合い表面の間に差し挟まれる一方、前記第一の伸長部（３２０）及び該第三の伸長部（３４０）の前記内側表面が、そのような再閉可能なファスナ（４０）の前記突き出し要素（４２）及びくぼみ要素（４４）の非かみ合い表面とそれぞれ連係する、伸長し再閉可能なファスナ（４０）を開閉するための請求項１に記載のスライダ（３００）。
【請求項７】  前記スライダ（３００）の前記幅（３０４）に平行に突き出す前記閉鎖端（３０８）で前記第三の伸長部（３４０）の前記遠位端（３４４）に配置された指状突起部（３５０）を備える、請求項６に記載のスライダ（３００）。
【請求項８】  前記指状突起部（３５０）が、凹状の内側表面（３５２）及び凸状の外側表面を備える、請求項７に記載のスライダ（３００）。
【請求項９】  前記指状突起部（３５０）の前記凹状の内側表面（３５２）が、前記再閉可能なファスナ（４０）の前記くぼみ要素（４４）の非かみ合い表面（４７）を部分的に囲む、請求項８に記載のスライダ（３００）。
【請求項１０】  前記楔（３６０）の前記内側表面（３６４）が，前記再閉可能なファスナ（４０）の前記突き出し要素（４２）の前記かみ合い表面（４１）を部分的に囲む一方、前記楔（３６０）の前記外側表面（３６２）が、前記くぼみ要素（４４）の溝（４９）と連係する、請求項６に記載のスライダ（３００）。
【手続補正２】
【補正対象書類名】明細書
【補正対象項目名】０００３
【補正方法】変更
【補正の内容】
【０００３】
剛性及び半剛性容器も又当該技術分野で周知である。このような容器は、広く様々な内容物の貯蔵手段を提供することに、かなりの程度の商業的成功を収めてきた。これら容器は、一般的に、球状物と溝などのかみ合う突き出し及びくぼみ要素を備えた再閉可能なファスナにより、容器を通常密閉する蓋を組み入れている。更に、１９７４年１月８日にアンダーソン（Anderson）に発行された米国特許第３，７８４，０５５号明細書（以下、号ともいう。）、及び１９７６年７月６日にバリシュ（Barish）に発行された米国特許第３，９６７，７５６号では、プラグシール（plug seal）を利用した容器が開示されているが、この両方を本明細書に参考として組み入れる。
【手続補正３】
【補正対象書類名】明細書
【補正対象項目名】０００５
【補正方法】変更
【補正の内容】
【０００５】
可撓性貯蔵袋用の再閉可能なファスナと共に使用する従来のスライダは、ユーザにファスナの使用中の開閉を保証するが、、このようなスライダは一般的に使用する側壁により、一方向のファスナに機能が制限される。従来型のスライダの一例は、１９７２年５月９日にグットマン（Gutman）に発行された米国特許第３，６６０，８７５号に例示されている。プロボスト（Prouvost）のベルギー特許第５０５，３２５号明細書は、ファブリック残部を入れる貯蔵袋用の可撓性気密ジッパーの使用を示している。剛性又は半剛性容器は、一般的に相互に直交する方向に延びるベクトル成分を有する方向（複数）に延びるファスナでシールされる蓋を採用しているので、従来のスライダはこのようなファスナの開閉には不適である。プロボスト（Prouvost）のジッパー・シールは、そのようなジッパーにより多次元の剛直な又は半剛直な再閉容器を抑えることを可能にするためには、接合される構成要素に著しい可撓性を必要とする。
【手続補正４】
【補正対象書類名】図面
【補正対象項目名】図１
【補正方法】変更
【補正の内容】
【図１】
2003519556.tif 000001